(57)【要約】【課題】コストおよび電力ロスを抑えることが可能な構成の水平偏向回路を提供すること。【解決手段】水平走査期間の前半には、トランジスタ３３、ＦＥＴ３１、３６をオフして、低電源部１１、チョークコイル３２、水平偏向コイル２０、リニアリティコイル３４、Ｓ字コンデンサ３５の直列回路を形成し、矢印Ａ方向に電流を流し、走査期間の後半には、トランジスタ３３をオン、ＦＥＴ３１、３６をオフして、Ｓ字コンデンサ３５からの放電電流を矢印Ｂ方向に電流を流す。帰線期間には、トランジスタ３３をオフ、ＦＥＴ３１、３６をオンして、高電源部１２、ＦＥＴ３１、水平偏向コイル２０、ＦＥＴ３６の直列回路（水平走査期間に動作するリニアリティコイル３４、Ｓ字コンデンサ３５等の回路素子を介さない回路）を形成し、矢印Ｃ方向に電流を流す。【選択図】  図２
2004364194.tif 000002
【特許請求の範囲】
【請求項１】
陰極線管装置における水平偏向コイルと接続される水平偏向回路であって、
水平走査期間に、第１の電源部からの電力を前記水平偏向コイルに供給する回路であり、前記水平偏向コイルへの供給電流の向きを期間の前半と後半とで逆向きにさせるための回路素子を含む第１の回路と、
帰線期間に、前記第１の電源部よりも高圧の第２の電源部からの電力を前記第１の回路に含まれる回路素子を介さずに前記水平偏向コイルに供給する第２の回路と、
を備えることを特徴とする水平偏向回路。
【請求項２】
前記第２の回路は、前記水平偏向コイルの一端を前記第２の電源部と直接接続する第１のスイッチ素子と、前記水平偏向コイルの他端を接地する第２のスイッチ素子とを備えることを特徴とする請求項１に記載の水平偏向回路。
【請求項３】
前記第１の電源部は、直流電源部であり、
前記第１の回路は、
前記回路素子として、前記水平偏向コイルと直列に接続されるコンデンサと、前記水平偏向コイル、前記コンデンサの直列回路に対して並列に接続される第３のスイッチ素子と、を含み、
水平走査期間の前半では、前記第３のスイッチ素子を開放して第１の電源部、前記水平偏向コイルを通じて前記コンデンサに充電する回路を形成し、水平走査期間の後半では、前記第３のスイッチ素子を閉じて前記コンデンサに蓄積された電荷を前記水平偏向コイルに放電する回路を形成することを特徴とする請求項２に記載の水平偏向回路。
【請求項４】
前記第１の回路は、
前記第１の電源部と水平偏向コイルの間に挿入されるチョークコイルを含み、前記チョークコイルは、前記第１、第２のスイッチ素子が閉じて、前記第２の電源部からの電力が前記水平偏向コイルに供給されている間に、前記第２の電源部から前記第１の電源部への電流の流入を阻止することを特徴とする請求項３に記載の水平偏向回路。
【請求項５】
前記第２の回路は、電力伝達用のトランスを含み、当該トランスを介して水平偏向コイルに電力供給を行うことを特徴とする請求項１に記載の水平偏向回路。
【発明の詳細な説明】
【０００１】
【発明の属する技術分野】
本発明は、陰極線管装置における水平偏向コイルに偏向電流を供給する水平偏向回路に関する。
【０００２】
【従来の技術】
図５は、従来のテレビ受信機に備えられる水平偏向回路１００の構成例を示す図であり、図６は、水平偏向回路１００の各部の信号波形を示す説明図である。図５に示すように、水平偏向回路１００は、チョークコイル１０１、水平出力トランジスタ１０２、共振コンデンサ１０３、ダンパーダイオード１０４、リニアリティコイル１０５およびＳ字コンデンサ１０６を備える共振回路であり、水平偏向コイル１１０に偏向電流を供給するものである。
【０００３】
水平出力トランジスタ１０２のコレクタは、チョークコイル１０１を介して電源に接続され、ベースには、図外の水平ドライブ回路からの、水平同期信号に基づく水平ドライブ信号が入力される。
水平出力トランジスタ１０２のコレクタ・エミッタ間には、共振コンデンサ１０３とダンパーダイオード１０４が並列に接続されている。
【０００４】
水平偏向コイル１１０、リニアリティコイル１０５およびＳ字コンデンサ１０６は直列に接続されており、この直列接続回路がダンパーダイオード１０４に並列に接続されている。ここで、リニアリティコイル１０５とＳ字コンデンサ１０６は、映像の水平方向の直線性を補正するための素子である。
このような構成において、図６に示すように、ｔ１以前では、水平出力トランジスタ１０２がオフ状態となっており、電源によってコンデンサ１０３、１０６が充電される。
【０００５】
ｔ１で水平ドライブ信号が入力され、水平出力トランジスタ１０２がオン（コレクタ、エミッタ間が導通状態）になると、コンデンサ１０６の電荷は水平偏向コイル１１０を介し水平トランジスタ１０２を通じて放電される。このときコンデンサ１０３の電荷も急速放電される。水平偏向コイル１１０のインダクタンス（Ｌ）はその直流抵抗（ｒ）に比べて非常に大きく、その時定数（Ｌ／ｒ）は極めて大きいので、水平偏向コイル１１０に加わる電圧が急激に変化しても、これに流れる電流は徐々に変化し、そのためコレクタ電流はのこぎり波状に変化する電流となる。
【０００６】
ｔ２で水平ドライブ信号が負に転じて水平出力トランジスタ１０２がオフになると、水平偏向コイル１１０に逆起電力が生じ、水平偏向コイル１１０及びコンデンサ１０６、１０３で形成される共振回路に共振電流が流れる。このためコンデンサ１０３は急速充電され、水平出力トランジスタ１０２のコレクタ電圧は上昇する（ｔ２→ｔ３）。
【０００７】
コンデンサ１０３の充電が進むとその電流はやがて減少し、ｔ３以降は放電が開始される。すなわち、ｔ３からは逆方向に電流が流れ始める。やがてコンデンサ１０３の電圧が低下し、ｔ４でゼロとなる。このｔ２〜ｔ４の期間は、電子ビームが水平走査の開始位置に復帰する帰線期間（ｔｒ）になる。
水平出力トランジスタ１０２がオフのままなので、ｔ４以後は（ｔ２→ｔ３）間とは逆極性にコンデンサ１０３を充電し始める。このため、ダンパーダイオード１０４に順方向の電圧が印加されて導通状態となり、ダンパーダイオード１０４、水平偏向コイル１１０、リニアリティコイル１０５およびＳ字コンデンサ１０６からなる回路に時定数（Ｌ／ｒ）のダンパー電流が流れる。これにより水平偏向コイル１１０の電流は、（ｔ１→ｔ２）間と逆方向に流れる。
【０００８】
ｔ５でダンパー電流が０になると、水平ドライブ信号が正に転じ、水平出力トランジスタ１０２がオンになり、上記ｔ１の場合と同様にコンデンサ１０６の電荷が水平偏向コイル１１０を介し放電される。以降、この繰り返しの動作が行われて、水平偏向コイル１１０にのこぎり波状の偏向電流が流れ、電子ビームが水平走査される。この（ｔ４→ｔ５）の期間は、水平走査期間の前半であり、（ｔ５→ｔ６）の期間は、水平走査期間の後半の期間となる。
【０００９】
【非特許文献１】
日本放送協会編  ＮＨＫカラーテレビ受信技術［増補版］、２０００年９月３０日、Ｐ．１３９−１４１
【００１０】
【発明が解決しようとする課題】
しかしながら、上記従来の共振を利用した水平偏向回路１００では、帰線期間に１０００ボルト以上の共振パルス（図６（ｅ））が発生するため、水平出力トランジスタ１０２、共振コンデンサ１０３、ダンパーダイオード１０４等の回路素子として高耐圧のものを使用しなければならず、コスト高になるという問題がある。また、共振時での、回路素子の内部抵抗による電力ロスが多くなるという問題もある。
【００１１】
本発明は、このような問題点に鑑みてなされたものであって、コストおよび電力ロスを抑えることが可能な構成の水平偏向回路を提供することを目的とする。
【００１２】
【課題を解決するための手段】
上記目的を達成するため、本発明に係る水平偏向回路は、陰極線管装置における水平偏向コイルと接続される水平偏向回路であって、水平走査期間に、第１の電源部からの電力を前記水平偏向コイルに供給する回路であり、前記水平偏向コイルへの供給電流の向きを期間の前半と後半とで逆向きにさせるための回路素子を含む第１の回路と、帰線期間に、前記第１の電源部よりも高圧の第２の電源部からの電力を前記第１の回路に含まれる回路素子を介さずに前記水平偏向コイルに供給する第２の回路と、を備えることを特徴とする。
【００１３】
これにより、例えば第１の回路に回路素子としてリニアリティコイル、Ｓ字コンデンサ等を含む場合に、帰線期間にはこれら回路素子に偏向電流が流れないことになる。したがって、従来のように、帰線期間に、リニアリティコイル、Ｓ字コンデンサ、ダンパーダイオード等の回路素子にも共振による電流が流れるため、これら回路素子の内部抵抗による電力ロスが生じたり、水平偏向コイルに本来印加すべき電圧よりも高い、例えば１０００ボルト以上の電圧を印加させる必要がなくなり、その分、省電力で済み、低耐圧の回路素子を用いることによりコスト低減を実現できる。
【００１４】
また、前記第２の回路は、前記水平偏向コイルの一端を前記第２の電源部と直接接続する第１のスイッチ素子と、前記水平偏向コイルの他端を接地する第２のスイッチ素子とを備えることを特徴とする。
これにより、帰線期間に水平偏向コイルに印加する電圧をさらに下げることが可能になり、さらなる低耐圧の回路素子を用いることができる。
【００１５】
さらに、前記第１の電源部は、直流電源部であり、前記第１の回路は、前記回路素子として、前記水平偏向コイルと直列に接続されるコンデンサと、前記水平偏向コイル、前記コンデンサの直列回路に対して並列に接続される第３のスイッチ素子と、を含み、水平走査期間の前半では、前記第３のスイッチ素子を開放して第１の電源部、前記水平偏向コイルを通じて前記コンデンサに充電する回路を形成し、水平走査期間の後半では、前記第３のスイッチ素子を閉じて前記コンデンサに蓄積された電荷を前記水平偏向コイルに放電する回路を形成することを特徴とする。
【００１６】
このようにコンデンサへの充電と放電をスイッチ素子の開放、接続で切り換える構成とすることにより、水平走査期間の前半と後半で水平偏向コイルへの電流を逆転させることが可能になり、回路を簡素化することができる。
また、前記第１の回路は、前記第１の電源部と水平偏向コイルの間に挿入されるチョークコイルを含み、前記チョークコイルは、前記第１、第２のスイッチ素子が閉じて、前記第２の電源部からの電力が前記水平偏向コイルに供給されている間に、前記第２の電源部から前記第１の電源部への電流の流入を阻止することを特徴とする。
【００１７】
これにより、帰線期間に第１の電源部よりも高圧の第２の電源部からの電流が第１の電源部に流入するといったことがなくなる。
また、前記第２の回路は、電力伝達用のトランスを含み、当該トランスを介して水平偏向コイルに電力供給を行うことを特徴とする。
これにより、帰線期間に水平偏向コイルに印加する電圧を大きく下げることができ、さらなる低耐圧の回路素子を用いることができる。
【００１８】
【発明の実施の形態】
以下、本発明に係る水平偏向回路の実施の形態について図面を参照しながら説明する。
（第１の実施の形態）
図１は、水平偏向回路１の構成を示すブロック図であり、図２は、水平偏向回路１の回路図の構成を示す図であり、図３は、各部の信号波形を示す図である。この水平偏向回路１は、陰極線管、陰極線管の電子銃から発せられる電子ビームを水平走査させるための水平偏向コイル等を備えるテレビジョンの受信機に備えられ、共振によらず偏向電流を生成して、これを水平偏向コイルに供給する回路である。なお、ここでは、２４型の陰極線管装置が搭載されたテレビセットに適用した場合を例に説明する。
【００１９】
図１に示すように、水平偏向回路１は、電源切換部１３、走査／帰線期間切換信号生成部１４および水平ドライブ信号生成部１５を備えており、外部の第１の電源部としての低電源部１１と、第２の電源部としての高電源部１２と接続されている。
低電源部１１は、直流電源、ここではＶｂＬ（ＤＣ１３０ボルト）を電源切換部１３に供給するものであり、高電源部１２は、直流電源、ここではＶｂＨ（ＤＣ６３０ボルト）を電源切換部１３に供給するものである。これら低電源部１１、高電源部１２は、それぞれ公知の整流、定電圧等の回路からなり、商用交流電源からの入力を所定の電圧ＶｂＬ、ＶｂＨに変換して出力するものである。
【００２０】
低電源部１１は、水平走査における走査期間中に水平偏向コイル２０に流れる偏向電流の供給源として用いられ、高電源部１２は、水平走査における帰線期間中に水平偏向コイル２０に流れる偏向電流の供給源として用いられる。
走査／帰線期間切換信号生成部１４は、映像信号から水平同期信号を取り出す公知の同期回路（不図示）からの水平同期信号を受信して、当該水平同期信号に基づいて水平走査における走査期間中（図３（ａ）の「ｔｓ」）に「ロー（Ｌ）」レベル、帰線期間中（図３（ａ）の「ｔｒ」）に「ハイ（Ｈ）」レベルとなる矩形波の走査／帰線期間切換信号（以下、単に「切換信号」という。）を生成し、電源切換部１３および帰線期間接地部１４に出力する回路である。なお、走査期間（ｔｓ）と帰線期間（ｔｒ）を加えた期間を１走査線の水平偏向期間としたとき、一般のＮＴＳＣの場合、ｔｓは、水平偏向期間の約８３％（５分の４）、ｔｒは、約１７％（５分の１）になり、ここでは、水平偏向期間を約６３μｓとして、ｔｓが約５３μｓ、ｔｒが約１０μｓになっている。
【００２１】
水平ドライブ信号生成部１５は、上記同期回路からの水平同期信号を受信して、当該水平同期信号に基づいて水平走査における走査期間をほぼ２等分したときの走査期間後半に「Ｈ」レベル、それ以外（走査期間前半と帰線期間中）に「Ｌ」レベルとなる矩形波の水平ドライブ信号（図３（ｂ）。以下、「ドライブ信号」という。）を生成し、電源切換部１３に出力する回路である。
【００２２】
これら走査／帰線期間切換信号生成部１４と水平ドライブ信号生成部１５とは、公知のドライブ用ＩＣから構成されるが、上記ドライブ信号、切換信号と同一周期のパルス信号を水平同期信号から生成できる回路であれば限定されず、例えばＣ−ＭＯＳによる単安定マルチバイブレータ等による回路を用いて構成することも可能である。
【００２３】
電源切換部１３は、走査／帰線期間切換信号生成部１４からの切換信号と、水平ドライブ信号生成部１５からのドライブ信号に基づいて、走査期間には、低電源部１１からの電力を、帰線期間には、高電源部１２からの電力を各期間で切り換えて水平偏向コイル２０に供給する回路である。そして、後述のように帰線期間に、水平偏向コイル２０の、高電源部１２からの電力が供給される側と反対側を電気的に接地させる回路である。
【００２４】
以下、図２、図３を参照しながら、水平偏向回路１の具体的構成を説明するが、図２では、説明の都合上、低電源部１１、高電源部１２、走査／帰線期間切換信号生成部１４および水平ドライブ信号生成部１５の構成を省略して丸印で示している。
図２に示すように、電源切換部１３は、ＦＥＴ３１、３６、チョークコイル３２、トランジスタ３３、リニアリティコイル３４およびＳ字コンデンサ３５を含む回路で構成される。
【００２５】
ＦＥＴ３１のドレイン端子は、高電源部１２と接続されており、ゲート端子は、走査／帰線期間切換信号生成部１４と接続されており、ソース端子は、チョークコイル３２の一方の端子、水平偏向コイル２０の一方の端子およびトランジスタ３３のコレクタ端子と接続されている。
チョークコイル３２の他方の端子は、低電源部１１と接続されている。
【００２６】
トランジスタ３３のベース端子は、水平ドライブ信号生成部１５と接続されており、エミッタ端子は、接地されている。
水平偏向コイル２０の他方の端子は、リニアリティコイル３４の一方の端子と、ＦＥＴ３６のドレイン端子と接続されている。
ＦＥＴ３６のゲート端子は、走査／帰線期間切換信号生成部１４と接続されており、ソース端子は、接地されている。
【００２７】
リニアリティコイル３４の他方の端子は、Ｓ字コンデンサ３５を介して接地されている。
このような回路構成において、水平ドライブ信号生成部１５からドライブ信号が、走査／帰線期間切換信号生成部１４から切換信号がそれぞれ入力された場合には、次のような動作が行われる。
【００２８】
（１）走査期間の前半（▲１▼〜▲２▼）
走査期間の前半では、図３に示すように、切換信号が「Ｌ」、ドライブ信号が「Ｌ」レベルになるので、ＦＥＴ３１、３６、トランジスタ３３がオフになる。これにより、低電源部１１からの電流がチョークコイル３２、水平偏向コイル２０、リニアリティコイル３４、Ｓ字コンデンサ３５の直列回路に流れ（図中破線Ａの経路）、Ｓ字コンデンサ３５が充電される。この場合の偏向電流は、コンデンサの充電特性により、図３（ｃ）に示すように開始時（▲１▼時点）で最大のαであり、時間経過に連れて減少し、走査期間の中間（▲２▼時点）で丁度ゼロになる。
【００２９】
（２）走査期間の後半（▲２▼〜▲３▼）
走査期間の後半では、切換信号が「Ｌ」、ドライブ信号が「Ｈ」レベルになるので、ＦＥＴ３１、３６がオフ、トランジスタ３３がオン（エミッタ、コレクタ間が導通状態）になる。これにより、Ｓ字コンデンサ３５からの放電電流が、リニアリティコイル３４、水平偏向コイル２０、トランジスタ３３の直列回路に流れる（図中破線Ｂの経路）。すなわち、水平偏向コイル２０には、電流の向きが走査期間の前半とは逆向きの電流が偏向電流として流れる。この場合の偏向電流は、水平偏向コイル２０の時定数の大きさの関係から、図３（ｃ）に示すように、時間の経過に連れて増加し、走査期間の終了時（▲３▼時点）で最大（上記α）になる。
【００３０】
すなわち、低電源部１１、チョークコイル３２、水平偏向コイル２０、リニアリティコイル３４、Ｓ字コンデンサ３５、トランジスタ３３が接続されてなる回路（第１の回路）は、走査期間ｔｓに低電源部１１からの電力を水平偏向コイル２０に供給するための回路である。ここで、トランジスタ３３は、走査期間の前半と後半において、偏向電流の流れる向きを切り換えるためのスイッチ素子としての機能を有するものである。
【００３１】
（３）帰線期間（▲３▼〜▲１▼）
帰線期間では、切換信号が「Ｈ」、ドライブ信号が「Ｌ」レベルになるので、ＦＥＴ３１、３６がオン、トランジスタ３３がオフになる。これにより、高電源部１２からの電流が、ＦＥＴ３１、水平偏向コイル２０、ＦＥＴ３６の直列回路に流れる（図中破線Ｃの経路）。すなわち、高電源部１２の電圧がほぼ直接、水平偏向コイル２０に印加されることになる。図３（ｄ）のＤ点の電圧波形の帰線期間ｔｒの電圧が、高電源部１２の電圧に相当する。
【００３２】
高電源部１２、ＦＥＴ３１、水平偏向コイル２０、ＦＥＴ３６が接続されてなる回路（第２の回路）は、帰線期間ｔｒに、高電源部１２からの電力を水平偏向コイル２０に供給するための回路といえる。ここで、チョークコイル３２は、帰線期間において高電源部１２からの電流が低電源部１１へ流入するのを阻止する素子として機能する。
【００３３】
このように帰線期間ｔｒに走査期間ｔｓでの印加電圧ＶｂＬ（１３０ボルト）よりも高い電圧ＶｂＨ（６３０ボルト）を印加するのは、帰線期間ｔｒは、上記のように走査期間ｔｓの約１／５の時間しかなく、この短時間の内に、次の走査線の走査期間前半開始時（▲１▼時点）において必要な量（最大値α）の電流が水平偏向コイル２０に流れるようにするためである。
【００３４】
高電源１２による高電圧が印加されることにより、図３（ｃ）に示すように、帰線期間ｔｒ中の偏向電流の波形は、その勾配が走査期間中に比べて大きく、水平偏向コイル２０に流れる偏向電流の向きを急激に逆方向（走査期間の後半に流れていた向きから逆方向（走査期間の前半における向き））に反転させることができる。
【００３５】
そして、第２の回路は、第１の回路に含まれる回路素子（リニアリティコイル３４、Ｓ字コンデンサ３５、トランジスタ３３等）を介さずに高電源部１２からの電力を水平偏向コイル２０に供給する構成になっている。これは、従来の共振回路のように帰線期間にダンパーダイオード、リニアリティコイル、Ｓ字コンデンサ等に電流が流れることによる各素子の内部抵抗での電力ロスをなくすためである。第２の回路には、スイッチ素子としてＦＥＴ３１、３６が含まれるが、これらは共にオンのときほぼショートに近い状態になるので、ほとんど電力ロスがない。そのため高電源１２からの電力を、ほぼ直通の状態で水平偏向コイル２０に供給することができる。また、電力ロスがなくなるのであるから、その分の余分な電力も不用になり、電源部としては水平偏向コイル２０に必要な電力だけを供給できるものであれば良く、高電源部１２の電圧を、ここでは６３０ボルトまで下げることが可能になっている。
【００３６】
このように高電源部の電圧を低減できることは、計算式からも導き出せる。すなわち、実際の２４型の陰極線管装置では、水平偏向コイル２０のインピーダンスが１．３５〔ｍＨ〕、帰線期間に必要な電力が４．７〔Ａ〕（これらインピーダンス、電力の各値は、従来と同じである。）なので、帰線期間ｔｒを約１０〔μｓ〕として、ＦＥＴ３１、３６の内部抵抗を無視すると、高電源部１２の電圧ＶｂＨは、Ｖ＝−Ｌ・（ｄｉ／ｄｔ）式より、約６３４ボルトになる。
【００３７】
このように、従来の共振回路による高耐圧（１０００ボルト以上）の素子を用いる必要がなくなり、低耐圧の低コストの素子を用いて回路を構成できる。また、使用可能な素子の選択幅が増え、その分設計の自由度が広がる。
上記テレビセットにおける従来の共振回路を備えた水平偏向回路では、共振ロスとして約３．５〔Ｗ〕が消費されていたが、本実施の形態の水平偏向回路１では、基本的にこのロスがなくなることになり、節電効果が大変大きい。
【００３８】
帰線期間ｔｒが終了し、次の走査期間の開始時（▲１▼時点）には、上記（１）の動作が実行される。もちろん、走査期間の開始時（▲１▼時点）には、最大値αの電流が水平偏向コイル２０に流れ、時間経過と共に減少して行くことになる。
これ以降上記（２）→（３）→（１）・・の動作が繰り返し行われて、水平走査が実行される。
【００３９】
（第２の実施の形態）
上記第１の実施の形態では、高電源部１２と水平偏向コイル２０が直列に接続され、高電源部１２からの電力が水平偏向コイル２０に直接供給される構成であったが、本実施の形態では、トランスを介して供給されるようになっており、その点が異なっている。
【００４０】
図４は、本実施の形態における水平偏向回路２の回路図の構成を示す図であり、第１の実施の形態と同じ部材については同符号を付してある。ここでは、第１の実施の形態と同じ構成については、その説明を省略するものとする。
同図に示すように、水平偏向回路２は、第２の回路として、高電源部６２、ＦＥＴ３１、トランス５１の一次側、ＦＥＴ３６が直列に接続されており、トランス５１の二次側に水平偏向コイル２０が並列に接続される構成になっている。なお、ここでは水平偏向コイル２０の一方の端子が接地されている。
【００４１】
また、低電源部６１の電圧値ＶｂＬが、ＤＣ２４ボルト、高電源部６２の電圧値ＶｂＨが、ＤＣ１２０ボルトになっている。この値は、トランス５１の一次側と二次側の巻数の比により決まるものである。ここでは、一次側の巻数が１０ターン、二次側の巻数が５２ターンのものが用いられ、第１の実施の形態と水平偏向コイル２０のインピーダンス、帰線期間に必要な電力は基本的に同じであるから、この巻数比（１０対５２）の分だけ電圧値ＶｂＬ、ＶｂＨの値（１３０ボルト、６３０ボルト）を（２４ボルト、１２０ボルト）に低減できる。
【００４２】
このようにトランス５１を介在させて電力を供給する回路構成とすれば、その巻数比に応じて低電源、高電源の電圧を低減させることができる。これにより、さらに低耐圧の素子を用いることが可能になるという効果を奏する。
（変形例）
以上、本発明を実施の形態に基づいて説明してきたが、本発明は、上述の実施の形態に限定されないのは勿論であり、以下のような変形例が考えられる。
【００４３】
（１）上記実施の形態では、トランジスタ３３、ＦＥＴ３１、３６等をスイッチ素子として用い電源部の切換を行ったが、スイッチ制御できるものであればこれらに限定されることはなく、例えばリレー等を用いても良い。
（２）上記実施の形態では、２４型のテレビにおける実際の水平偏向コイルのインピーダンス、帰線期間に必要な電力等に基づいて低電源部の電圧等が設定された場合の例を説明したが、当該インピーダンス等は画面の大きさ等、テレビセットごとに変わるものであるから、低、高電源部の電圧値は、水平偏向回路が備えられるテレビセットに応じて適切な値が設定されることになる。このことは、トランジスタ、Ｓ字コンデンサ等の回路素子についても同様であり、テレビセットごとに最適なものが選ばれて水平偏向回路に組み込まれることになる。
【００４４】
（３）上記実施の形態では、走査／帰線期間切換信号生成部１４と水平ドライブ信号生成部１５が水平偏向回路に設けられる構成としたが、例えばこれらを外部に設け、当該外部の各生成部から信号を受信する構成とすることもできる。
（４）上記第１の実施の形態では、▲１▼水平走査期間の前半に、トランジスタ３３のベースにドライブ信号「Ｌ」を印加してトランジスタ３３をオフさせ、低電源部１１から水平偏向コイル２０、Ｓ字コンデンサ３５を介してグラウンドに電流が流れるラインを形成して、低電源部１１からの電流を水平偏向コイル２０に流しながらＳ字コンデンサ３５を充電させ、▲２▼水平走査期間の後半に、ドライブ信号「Ｈ」を印加してトランジスタ３３をオンさせ、Ｓ字コンデンサ３５から水平偏向コイル２０を介してグラウンドに流れるラインを形成して、Ｓ字コンデンサ３５から放電される電流を水平偏向コイル２０に流す構成（コンデンサの充放電を利用した構成）としたが、このような構成に限定されることはない。
【００４５】
水平走査期間にその前半と後半とで電流の向きが逆になるようにして必要な量の電流を水平偏向コイルに供給できれば良く、例えば走査期間の前半に、水平偏向コイル２０の一方が低電源部１１側、他方がグラウンド側になり、走査期間の後半に、水平偏向コイル２０の他方が低電源部１１側、一方がグラウンド側になるように、スイッチ素子等を用いて回路を切り換える構成等が考えられる。
【００４６】
【発明の効果】
以上説明したように、本発明に係る水平偏向回路は、水平走査期間に、第１の電源部からの電力を水平偏向コイルに供給する回路であり、前記水平偏向コイルへの供給電流の向きを期間の前半と後半とで逆向きにさせるための回路素子を含む第１の回路と、帰線期間に、前記第１の電源部よりも高圧の第２の電源部からの電力を前記第１の回路に含まれる回路素子を介さずに前記水平偏向コイルに供給する第２の回路と、を備えている。
【００４７】
これにより、例えば第１の回路に回路素子としてリニアリティコイル、Ｓ字コンデンサ等を含む場合に、帰線期間にはこれら回路素子に偏向電流が流れないことになる。したがって、従来のように、帰線期間に、リニアリティコイル、Ｓ字コンデンサ、ダンパーダイオード等の回路素子にも共振による電流が流れるため、これら回路素子の内部抵抗による電力ロスが生じたり、水平偏向コイルに本来印加すべき電圧よりも高い、例えば１０００ボルト以上の電圧を印加させるといったことがなくなり、その分、省電力で済み、低耐圧の回路素子を用いることによりコスト低減を実現できる。
【図面の簡単な説明】
【図１】第１の実施の形態における水平偏向回路の構成を示すブロック図である。
【図２】上記水平偏向回路の回路図の構成を示す図である。
【図３】上記水平偏向回路の各部の信号波形を示す図である。
【図４】第２の実施の形態における水平偏向回路の回路図の構成を示す図である。
【図５】従来のテレビ受信機に備えられる水平偏向回路の構成例を示す図であり、
【図６】従来の水平偏向回路の各部の信号波形を示す説明図である。
【符号の説明】
１、２      水平偏向回路
１１、６１      低電源部
１２、６２      高電源部
１３、５０      電源切換部
１４      走査／帰線期間切換信号生成部
１５      水平ドライブ信号生成部
２０      水平偏向コイル
３１、３６      ＦＥＴ
３２      チョークコイル
３３      トランジスタ
３４      リニアリティコイル
３５      Ｓ字コンデンサ
５１      トランス
【図１】
2004364194.tif 000003
【図２】
2004364194.tif 000004
【図３】
2004364194.tif 000005
【図４】
2004364194.tif 000006
【図５】
2004364194.tif 000007
【図６】
2004364194.tif 000008